(57)【要約】【課題】実質的に無酸素のガス流中の硫黄成分を測定できる硫黄検出センサを提供する。【解決手段】実質的に無酸素の水素ガス流中に含有されている硫黄成分を検出する硫黄検出センサＳであって、硫黄検出センサＳは、固体電解質基板１０と、固体電解質基板１０を移動してきた酸素イオンと水素との電気化学的反応に因って惹起される電位差を検出する電極とから成り、前記電極として、固体電解質基板１０の一面側に形成され、水素ガス流と接触する検知電極１２と、固体電解質基板１０の他面側に形成され、空気と接触する参照電極１４とが設けられ、検知電極１２が、硫黄成分との発熱反応によって生成する硫化物の２５℃における生成エンタルピーが−２５０ｋＪ／ｍｏｌ以上となる、遷移金属又はその酸化物によって形成されていることを特徴とする。【選択図】　　　　図１
2004053590.tif 000002
【特許請求の範囲】
【請求項１】
実質的に無酸素のガス流中に含有されている硫黄成分を検出する硫黄検出センサであって、
前記硫黄検出センサは、酸素イオンが移動可能な固体電解質基板と、前記固体電解質基板を移動してきた酸素イオンと前記ガス流を構成する成分との電気化学的反応に因って惹起される電位差を検出する電極とから成り、
前記電極として、前記固体電解質基板の一面側に形成され、前記ガス流と接触する検知電極と、前記固体電解質基板の他面側に形成され、酸素含有流体と接触する参照電極とが設けられ、
前記検知電極が、硫黄成分との発熱反応によって生成される硫化物の２５℃における生成エンタルピーが−２５０ｋＪ／ｍｏｌ以上となる、遷移金属又はその酸化物によって形成されていることを特徴とする硫黄検出センサ。
【請求項２】
検知電極が、酸素との発熱反応によって生成される酸化物の２５℃における生成エンタルピーが−６５０ｋＪ／ｍｏｌ以上となる、遷移金属又はその酸化物によって形成されている請求項１記載の硫黄検出センサ。
【請求項３】
検知電極が、Ｒｈ、Ｎｉ、Ｃｕ、Ａｇ、Ｓｎ及びＺｎから成る群から選ばれた金属又はその酸化物によって形成されている請求項１又は請求項２記載の硫黄検出センサ。
【請求項４】
検知電極が、白金含有金属によって形成されている請求項１〜３のいずれか一項記載の硫黄検出センサ。
【請求項５】
参照電極が、白金含有金属によって形成されている請求項１〜４のいずれか一項記載の硫黄検出センサ。
【請求項６】
固体電解質板が、イットリア安定化ジルコニア燒結体、スカンジア安定化ジルコニア燒結体、サマリアを添加したセリア燒結体又はセリアを添加したスカンジア安定化ジルコニア燒結体である請求項１〜５のいずれか一項記載の硫黄検出センサ。
【請求項７】
実質的に無酸素のガス流中に含有されている硫黄成分を検出する硫黄検出装置において、
該硫黄検出装置を形成する硫黄検出センサとして、請求項１記載の硫黄検出センサを用い、
前記硫黄検出センサの検知電極と参照電極との間の電位差を測定する電圧計が設けられていることを特徴とする硫黄検出装置。
【請求項８】
固体電解質基板、検知電極、参照電極及び電圧計から成る回路が、前記検知電極の電流密度が一定値となるように、定電流発生装置から電流が供給される閉回路である請求項７記載の硫黄検出装置。
【請求項９】
固体電解質基板、検知電極、参照電極及び電圧計から成る回路が、外部から電流が供給されることのない開回路である請求項７記載の硫黄検出装置。
【発明の詳細な説明】
【０００１】
【発明の属する技術分野】
本発明は硫黄検出センサ及び硫黄検出装置に関し、更に詳細には実質的に無酸素のガス流中に含有されている硫黄成分を検出する硫黄検出センサ及び硫黄検出装置に関する。
【０００２】
【従来の技術】
ボイラーの煙道から排出される排煙ガス流等の硫黄含有ガス流中の硫黄成分濃度を測定するセンサについては、例えば特開平９−８００１７号公報や特開平９−８００１８号公報において提案されている。
かかる公報に提案されたセンサを図１３に示す。図１３に示すセンサは、固体電解質材料であるイットリア安定化ジルコニア（ＹＳＺ）から成る固体電解質基板１００（以下、単に基板１００と称することがある）の一面側に形成された枠体１１８内に、硫酸銀を含む硫酸塩から成る検知電極１０２が形成されている。更に、基板１００の他面側にも、参照電極としての白金極１０４が形成され、検知電極１０２の表面には、銀含有極１０６が形成されている。これら白金極１０４と銀含有極１０６との各々は、白金ワイヤ１０８、１１０を介して電圧計１１２に連結されている。かかる検知電極１０２と基板１００との接合境界面には、白金化合物を熱分解して生成した白金１１６が存在している。
図１３に示すセンサは、その検知電極１０２を含む部分が、煙道ガス流が導入される筒体１１４内に挿入され、白金極１０４を含む部分が筒体１１４の外側に位置する。
【０００３】
【発明が解決しようとする課題】
図１３に示すセンサによれば、筒体１１４内に亜硫酸ガス流を含む煙道ガス流が導入されると、空気に晒される白金極１０４、基板１００、検知電極１０２及び銀含有極１０６内で進行する電気化学反応に起因する起電力が発生し、この起電力を測定することによって煙道ガス流中の硫黄分を測定できる。
しかし、図１３に示すセンサは、ボイラの煙道から排出される排煙ガス流等の酸素含有ガス流中の硫黄分を測定できるが、実質的に無酸素のガス流中の硫黄分、例えば家庭用又は車載用の燃料電池に、商用燃料ガスやガソリンを改質して水素ガスを供給する改質工程で扱われるガス流中の硫黄分を測定できない。
かかる改質工程を図１４に示す。図１４に示す改質工程では、原油由来の硫黄化合物を含有するガソリンや臭い付け等の目的で硫黄化合物が添加された商用ガス等の燃料に含有されている硫黄化合物を除去すべく、ガス化した燃料ガス流を脱硫器に供給し、硫黄化合物を除去する。次いで、硫黄化合物を除去した燃料ガス流を、リフォーマで水素化した後、含有されているＣＯをＣＯ２化するシフターを通過した水素を、燃料電池に供給する。
【０００４】
しかしながら、脱硫器に充填されている脱硫触媒等の吸着機能が低下すると、充分に脱硫されない燃料ガス流がリフォーマ及びシフターに供給され、リフォーマ及びシフターの機能を低下し、更には燃料電池の発電能力を低下する。
このため、脱硫器で脱硫された燃料ガス流中の硫黄成分を測定し得る測定手段を脱硫器とリフォーマとの間に設置することが要請される。
かかる測定手段としては、実質的に無酸素のガス流中での硫黄成分を連続して測定し得る測定手段であることを要する。
また、脱硫器で脱硫された燃料ガス流中の硫黄化合物の含有量が、リフォーマ及びシフターの機能を維持できる程度の少量であっても、硫黄化合物を含有する燃料ガス流が連続的に供給されると、供給された硫黄化合物の累積量に応じてリフォーマ及びシフターの機能が次第に低下する。このため、リフォーマ及びシフターに供給された硫黄化合物の累積量も測定することが必要である。
そこで、本発明の課題は、実質的に無酸素のガス流中の硫黄成分を測定できる硫黄検出センサ及び硫黄検出装置を提供することにある。
【０００５】
【課題を解決するための手段】
本発明者等は前記課題を解決すべく、硫化水素（Ｈ２Ｓ）を含有する水素ガス流について検討した。
この際に、イットリア安定化ジルコニア燒結体から成る固体電解質基板の一面側に水素ガス流と接触する検知電極と、この固体電解質基板の他面側に空気と接触する参照電極とを設け、この検知電極を硫化水素と反応性に富む金属で形成することによって、固体電解質基板を移動してきた酸素イオンと水素ガス流の水素との電気化学的反応に因って検知電極と参照電極との間に惹起される電位差は、水素ガス流中に硫化水素が混入していると、硫化水素と検知電極を形成する金属とが反応して変化することを知り、本発明に到達した。
すなわち、本発明は、実質的に無酸素のガス流中に含有されている硫黄成分を検出する硫黄検出センサであって、前記硫黄検出センサは、酸素イオンが移動可能な固体電解質基板と、前記固体電解質基板を移動してきた酸素イオンと前記ガス流を構成する成分との電気化学的反応に因って惹起される電位差を検出する電極とから成り、前記電極として、前記固体電解質基板の一面側に形成され、前記ガス流と接触する検知電極と、前記固体電解質基板の他面側に形成され、酸素含有流体と接触する参照電極とが設けられ、前記検知電極が、硫黄成分との発熱反応によって生成される硫化物の２５℃における生成エンタルピーが−２５０ｋＪ／ｍｏｌ以上となる、遷移金属又はその酸化物によって形成されていることを特徴とする硫黄検出センサにある。
【０００６】
かかる本発明において、検知電極を、酸素との発熱反応によって生成される酸化物の２５℃における生成エンタルピーが−６５０ｋＪ／ｍｏｌ以上となる、遷移金属又はその酸化物によって形成することにより、後述する閉回路で検知電極と参照電極との間の電位差を測定する場合には、ガス流中に含有されている硫黄成分と検知電極を形成する金属との反応に因る、検知電極と参照電極との間の電位差変化を明確に捉えることができる。特に、検知電極を、Ｒｈ、Ｎｉ、Ｃｕ、Ａｇ、Ｓｎ及びＺｎから成る群から選ばれた金属又はその酸化物によって形成することが好ましい。
かかる金属から成る検知電極には、白金を含有させることによって、検知電極内での反応速度を速めることができ好ましい。
一方、参照電極としては、白金含有金属によって形成することにより、空気中の酸素を容易に酸素イオンとすることができる。
更に、固体電解質基板としては、イットリア安定化ジルコニア燒結体、スカンジア安定化ジルコニア燒結体、サマリアを添加したセリア燒結体又はセリアを添加したスカンジア安定化ジルコニア燒結体を好適に用いることができる。
【０００７】
また、本発明は、実質的に無酸素のガス流中に含有されている硫黄成分を検出する硫黄検出装置において、該硫黄検出装置を形成する硫黄検出センサとして、前述した硫黄検出センサを用い、前記硫黄検出センサの検知電極と参照電極との間の電位差を測定する電圧計が設けられていることを特徴とする硫黄検出装置にある。
かかる本発明において、固体電解質基板、検知電極、参照電極及び電圧計から成る回路として、前記検知電極の電流密度が一定値となるように、定電流発生装置から電流が供給される閉回路を用いることにより、検知電極と参照電極との間の通電流量を一定とすることができ、ガス流中に含有されている硫黄成分と検知電極を形成する金属との反応に因る、検知電極と参照電極との間の電位差変化を明確に捉えることができる。
また、固体電解質基板、検知電極、参照電極及び電圧計から成る回路として、外部から電流が供給されることのない開回路を用いることにより、安価な硫黄検出装置を提供できる。
【０００８】
本発明に係る硫黄検出センサによれば、実質的に無酸素のガス流中に含有されている硫黄成分を検出できるが、その詳細な理由は未だ明確になっていないが次のように考えられる。
本発明に係る硫黄検出センサは、酸素イオンが移動可能な固体電解質基板固体電解質基板と、この固体電解質基板の一面側に形成され、ガス流と接触する検知電極と、固体電解質基板の他面側に形成され、酸素含有流体と接触する参照電極とが設けられている。このため、検知電極内では、固体電解質基板を移動してきた酸素イオンとガス流を構成する成分との電気化学的反応に因って起電力が発生し、検知電極と参照電極との間に電位差が生じる。
かかる検知電極は、硫黄成分と反応し易い金属によって形成されている。このため、ガス流中に硫黄成分が含有されていると、検知電極内に硫化物等が容易に生成され、検知電極内での電気化学的反応を阻害し、検知電極と参照電極との間に生じる電位差が変化する。
したがって、かかる電位差の変化量を測定することによって、ガス流中の硫黄成分量を測定できる。
また、検知電極を形成する金属とガス流中の硫黄成分と反応して生成された硫化物等が、ガス流中に飛散或いは還元等され難いものである場合、硫化物が検知電極内に蓄積されるため、所定時間経過後の検知電極と参照電極との間に生じる電位差の経時変化を測定することによって、所定時間内に通過したガス流中の硫黄成分の積算量を測定できる。
【０００９】
【発明の実施の形態】
本発明に係る硫黄検出装置の一例を図１に示す。図１に示す硫黄検出装置を構成する硫黄検出センサＳでは、固体電解質材料であるイットリア安定化ジルコニア（ＹＳＺ）燒結体を、固体電解質基板１０（以下、単に基板１０と称することがある）として用いる。この基板１０の一面側には、検知電極１２が形成されており、基板１０の他面側にも、白金から成る参照電極１４が形成されている。
かかる硫黄検出センサＳの検知電極１２及び参照電極１４は、白金製のワイヤ１６，１８の一端に接続され、ワイヤ１６，１８の他端は、検知電極１２と参照電極１４との間の電位差を測定する電圧計２２に接続されている。
かかるワイヤ１６，１８の途中には、検知電極１２の電流密度が一定値となるように、定電流発生装置３１から電流が供給されている。このため、基板１０、検知電極１２、参照電極１４及び電圧計２２から成る回路は、閉回路を形成している。
【００１０】
図１に示す硫黄検出センサＳの検出電極１２は、ガス流中の硫黄成分と反応し易い金属によって形成されている。具体的には、検出電極１２を、硫黄成分との発熱反応によって生成される硫化物の２５℃における生成エンタルピーが−２５０ｋＪ／ｍｏｌ以上（好ましくは−２１０ｋＪ／ｍｏｌ以上、特に好ましくは−２０６ｋＪ／ｍｏｌ以上）となる、遷移金属又はその酸化物によって形成している。
ここで、硫黄成分との発熱反応によって生成される硫化物の２５℃における生成エンタルピーが−２５０ｋＪ／ｍｏｌ未満となる、遷移金属又はその酸化物によって検出電極１２を形成すると、硫黄検出センサＳのガス流中に含有される硫黄成分濃度に対する感度が低下し易くなる。
この硫化物の２５℃における生成エンタルピーの上限は、特に定めることは必要ないが、−０．５ｋＪ／ｍｏｌとすることが好ましい。
更に、検出電極１２を形成する金属としては、酸素との発熱反応によって生成される酸化物の２５℃における生成エンタルピーが−６５０ｋＪ／ｍｏｌ以上（特に、−６００ｋＪ／ｍｏｌ以上、就中−５８１ｋＪ／ｍｏｌ以上）となる、遷移金属又はその酸化物であることが好ましい。この酸化物の２５℃における生成エンタルピーの上限も、特に定めることは必要ないが、−０．５０ｋＪ／ｍｏｌとすることが好ましい。
かかる検出電極１２を形成する金属としては、ロジウム（Ｒｈ）、ニッケル（Ｎｉ）、銅（Ｃｕ）、銀（Ａｇ）、スズ（Ｓｎ）及び亜鉛（Ｚｎ）から成る群から選ばれた金属又はその酸化物を挙げることができる。
この様な金属で形成された検知電極１２には、図１に示す硫黄検出センサＳの作動温度、作動雰囲気において化学的に安定な金属を含有させてもよい。特に、白金は、検知電極１２内での反応速度を速めることができ好ましい。
【００１１】
図１に示す硫黄検出センサＳを作る際には、先ず、イットリア安定化ジルコニア（ＹＳＺ）等の固体電解質材料から成る基板１０を所定温度で焼成して形成した後、基板１０の一面側に銀等の検知電極１２を形成する材料が配合されたペーストを塗布し、焼成して検知電極１２を形成する。
次いで、基板１０の他面側に、白金ペーストを塗布した後、焼成することによって参照電極１４を形成できる。
この様にして形成した硫黄検出センサＳの検知電極１２と参照電極１４とを、白金製のワイヤ１６，１８の一端に接続すると共に、ワイヤ１６，１８の他端に電圧計２２を接続する。
更に、ワイヤ１６，１８の途中に、検知電極１２の電流密度が一定値となるように電流を供給する定電流発生装置３１を接続する。
その後、図１に示す様に、矢印Ａ方向に硫黄成分を含有するガス流が流れる管体３０に硫黄検出センサＳを装着する。その際に、硫黄成分を含有するガス流に検知電極１２が接触し、参照電極１４が空気と接触するように、硫黄検出センサＳを管体３０に装着する。
【００１２】
管体３０内に矢印Ａ方向に、実質的に無酸素のガス流を流しつつ、基板１０を形成する固体電解質材料が、そのイオン伝導性を発揮し得る温度まで昇温すると、管体３０外の空気中の酸素が参照電極１４の白金触媒の存在下でイオン化された酸素イオン（Ｏ２−）が基板１０内を移動し、検知電極１２に到る。
かかる検知電極１２内では、検知電極１２を拡散してきたガス流を構成する成分と基板１０内を移動してきた酸素イオン（Ｏ２−）との電気化学的反応に因る起電力が発生し、検知電極１２と参照電極１４との間に電位差が生じる。かかる電位差は電圧計２２で測定できる。
ここで、ガス流中に硫黄成分が含有されていると、硫黄成分と反応し易い金属によって形成されている検知電極１２内に拡散した硫黄成分は、検知電極１２を形成する金属と反応して硫化物等を生成する。生成した硫化物等は、検知電極１２内でのガス流を構成する成分と基板１０内を移動してきた酸素イオン（Ｏ２−）との電気化学的反応を阻害することにより、硫黄検出センサＳの内部抵抗が増加し、検知電極１２と参照電極１４との間に生じる電位差が変化する。このため、検知電極１２と参照電極１４との間に生じる電位差の変化を測定することにより、ガス流中の硫黄成分濃度を求めることができる。
【００１３】
かかる検知電極１２と参照電極１４との間に電位差が変化するメカニズムについては、詳細に解明されていないが次のように推察される。
このメカニズムを、無酸素のガス流として水素ガス流を用い、この水素ガス流中に硫黄成分として硫化水素（Ｈ２Ｓ）を混入した場合について説明する。
検知電極１２内に拡散した硫化水素（Ｈ２Ｓ）は、その水素が基板１０を移動してきた酸素イオン（Ｏ２−）と反応し、生成した硫黄が検知電極１２を形成する金属に吸着され、或いは検知電極１２を形成する金属と反応して硫化物を生成する。
この様に、金属に吸着した硫黄や生成した硫化物（以下、硫化物等と称することがある）は、検知電極１２内での水素と酸素イオン（Ｏ２−）との電気化学的反応を阻害し、起電力を低下するため、検知電極１２と参照電極１４との間の電位差を低下させる。
【００１４】
ところで、この様な硫黄成分の影響を、検知電極１２と参照電極１４との間に生じる電位差として明確に表すためには、検知電極１２内での電気化学的反応速度を安定化する必要がある。
このため、図１に示す硫黄検出装置では、ワイヤ１６，１８の途中に配設された定電流発生装置３１によって、検知電極１２の電流密度が一定値となるように電流を供給することにより、検知電極１２内での電気化学的反応速度を安定化できた。
その結果、検知電極１２内に硫化物等が生成されることによって、検知電極１２内での電気化学的反応に寄与する部分（面積）が減少しても、定電流発生装置３１によって、検知電極１２の電流密度が一定値となるように供給電流量が調整される。このため、検知電極１２内での電気化学的反応に寄与し得る部分では、電気化学的反応がスムーズに進行する。
従って、検知電極１２と参照電極１４との間には、検知電極１２内での電気化学的反応に寄与し得る部分の大きさ（面積）に応じた電位差を安定して生じさせることができる。
【００１５】
図１に示す硫黄検出装置では、定電流発生装置３１を設けて検知電極１２内の電気化学的反応速度を安定させているが、定電流発生装置３１を設けなくても検知電極１２内での電気化学的反応が進行する場合には、図２に示す硫黄検出装置を用いることができる。
図２に示す硫黄検出装置は、基板１０、検知電極１２、参照電極１４及び電圧計２２から成る回路が、外部から電流が供給されることのない開回路に形成されている。このため、図２に示す硫黄検出装置は、定電流発生装置３１が設けられている図１に示す硫黄検出装置に比較して簡易な構造となっている。
尚、図２においては、図１に示す硫黄検出装置と同一部材については、同一符号を付して詳細な説明を省略する。
【００１６】
図１及び図２に示す硫黄検出装置において、その硫黄検出センサＳの検知電極１２に用いる金属のうち、硫化物の生成或いは硫黄成分の吸着が短時間で平衡に達するものの、経時時間と共に生成した硫化物や吸着した硫黄成分が消滅する金属は、ガス流中の硫黄成分の瞬間的な濃度変化を測定する場合に適している。かかる金属としては、具体的には、ロジウム（Ｒｈ）、ニッケル（Ｎｉ）及びその酸化物を挙げることができる。
また、硫化物の生成或いは硫黄成分の吸着が平衡に達するまでに時間がかかるものの、生成した硫化物や吸着した硫黄成分が消滅し難い金属は、ガス流中の硫黄成分が通過した累積量を測定する場合に適している。かかる金属としては、銅（Ｃｕ）、亜鉛（Ｚｎ）及びその酸化物を挙げることができる。
【００１７】
図１及び図２に示す硫黄検出装置に用いられている硫黄検出センサＳでは、検知電極１２が硫黄成分と反応し易い金属によって形成されている。このため、ガス流中に硫黄成分が含有されていると、検知電極１２内に硫化物等が容易に生成され、検知電極１２内での電気化学的反応を阻害し、検知電極１２と参照電極１４との間に生じる電位差が変化する。
したがって、かかる電位差の変化量を測定することによって、ガス流中の硫黄成分量を測定できる結果、従来の硫黄測定センサでは測定できなかった実質的に無酸素状態のガス流中の硫黄成分量を測定可能にできる。
尚、図１及び図２に示す硫黄検出センサＳでは、基板１０として、イットリア安定化ジルコニア燒結体を用いているが、スカンジア安定化ジルコニア燒結体、サマリアを添加したセリア燒結体又はセリアを添加したスカンジア安定化ジルコニア燒結体に代えてもよい。
【００１８】
【実施例】
本発明を実施例によって更に詳細に説明する。
実施例１
固体電解質材料であるイットリア安定化ジルコニア（ＹＳＺ）から成る基板１０の一面側に、酸化ロジウムと白金ペーストとを体積比で１：２〜１：３の比率で混合したペーストを塗布し、基板１０の他面側にも白金ペーストを塗布した後、焼成して図１に示す硫黄検出センサＳを得た。
得られた硫黄検出センサＳを構成する基板１０の一面側には、酸化ロジウムと白金とが混合された多孔質の検知電極１２が形成され、基板１０の他面側には、白金から成る多孔質の参照電極１４が形成されている。
次いで、得られた硫黄検出センサＳを用い、図１に示す硫黄検出装置を作成した。図１に示す硫黄検出装置では、硫黄検出センサＳの検知電極１２及び参照電極１４と電圧計２２とを、白金から成るワイヤ１６，１８によって接続し、且つワイヤ１６，１８の途中に定電流発生装置３１を設ける。この定電流発生装置３１からは、検知電極１２の電流密度が一定値となるように、基板１０、検知電極１２、参照電極１４及び電圧計３１から成る回路に電流が供給される。
【００１９】
形成した硫黄検出センサＳを、図１に示す様に、管体３０の中心軸に対して直角となるように装着し、定電流発生装置３１を除く部分を電気炉内に挿入した。電気炉内を基板１０のイオン伝導性が発現する６００℃に加熱しつつ、検知電極１２側に水素ガス流（水素ガス濃度４ｖｏｌ％、窒素ガス濃度９６ｖｏｌ％）を矢印Ａ方向から管体３０内に導入すると共に、参照電極１４側に空気を管体３０外に流した。この際に、定電流発生装置３１からは、検知電極１２の電流密度が１６００μＡ／ｃｍ２となるように、基板１０、検知電極１２、参照電極１４及び電圧計２２から成る回路に電流を供給した。
かかる条件下において、電圧計２２で測定した検知電極１２と参照電極１４との電位差は、図３の閉回路電圧として示す様に、−０．６Ｖ程度であった。
その後、検知電極１２側に、水素ガス流に対してＨ２Ｓを５ｐｐｍとなるように導入したところ、電圧計２２で測定した閉回路電圧は、図３に示す様に、−０．３８Ｖ程度に急激に上昇した。このことは、検知電極１２内で酸化ロジウムの硫化物等が生成し、水素と酸素イオン（Ｏ２−）との電気化学的反応を阻害し、起電力が低下したことに因るものと推察される。
このことから、図３に示す硫黄検出センサＳは、水素ガス流中のＨ２Ｓの濃度変化を測定するセンサに適している。
【００２０】
実施例２
実施例１において、酸化ロジムに代えて酸化ニッケル、銅、酸化亜鉛、酸化スズ又は銀を採用した他は、実施例１と同様にして硫黄検出センサＳを作成した。これらの金属の各々の２５℃における硫化物生成エンタルピー及び２５℃における酸化物生成エンタルピーについては、下記の表１に示す。
更に、作成した硫黄検出センサＳを実施例１と同様にして閉回路電圧を求め、その結果を図４〜図８に示す。
この閉回路電圧を求める際に、定電流発生装置３１からは、検知電極１２の電流密度が下記表１に併記する値となるように、基板１０、検知電極１２、参照電極１４及び電圧計２２から成る回路に電流を供給した。
【表１】
2004053590.tif 000003
また、水素ガス流（水素ガス濃度４ｖｏｌ％、窒素ガス濃度９６ｖｏｌ％）に含有されるＨ２Ｓ濃度は、５ｐｐｍ又は１ｐｐｍであり、図４〜図８の各々に併記した。
【００２１】
図４〜図８に示す様に、いずれの硫黄検出装置においても、Ｈ２Ｓの管体３０への導入に伴なって閉回路電圧は低下した。
しかし、図４に示す酸化ニッケルを用いた硫黄検出センサＳでは、図３に示す酸化ロジウムを用いた硫黄検出センサＳと同様に、Ｈ２Ｓの導入に伴なって、閉回路電圧は急激に上昇した。
このことから、図４に示す硫黄検出センサＳは、図３に示す硫黄検出センサＳと同様に、水素ガス流中のＨ２Ｓの濃度変化を測定するセンサに適している。
これに対し、図５〜図８に示す銅、酸化亜鉛、酸化スズ又は銀を用いた硫黄検出センサＳでは、その程度は異なるものの、水素ガス流中へのＨ２Ｓの導入に伴なって、閉回路電圧は徐々に低下する。このことは、検知電極１２内での硫化物等の生成が平衡に達するまでに時間がかかること、及び生成した硫化物等は消滅し難いことに起因しているものと推察される。
従って、図５〜図８に示す硫黄検出センサＳは、水素ガス流中のＨ２Ｓが通過した累積量を測定する場合に適している。
【００２２】
実施例３
図５〜図８に示す硫黄検出センサＳのうち、図５〜図７に示す銅、酸化亜鉛又は酸化スズを用いた硫黄検出センサＳを用い、Ｈ２Ｓ含有水素ガス流中のＨ２Ｓ濃度を変更した他は、実施例１と同一条件下で検知電極１２と参照電極１４との電位差を測定し、その結果を図９に示す。
但し、図９に示す検知電極１２と参照電極１４との電位差（閉回路電圧）は、水素ガス流中へのＨ２Ｓの導入開始から１０分後の値である。
図９から明らかな様に、水素ガス流中のＨ２Ｓ濃度が高くなる程、検知電極１２と参照電極１４との電位差が低下することが判る。
【００２３】
実施例４
実施例１と同様の硫黄検出センサＳを用い、図２に示す硫黄検出装置を作成した。図２に示す硫黄検出装置では、硫黄検出センサＳの検知電極１２及び参照電極１４と電圧計２２とを、白金から成るワイヤ１６，１８によって接続したものであり、定電流発生装置３１を設置しなかった。
形成した硫黄検出センサＳを、図２に示す様に、管体３０の中心軸に対して直角となるように装着し、電気炉内に挿入した。電気炉内を基板１０のイオン伝導性が発現する６００℃に加熱しつつ、検知電極１２側に水素ガス流（水素ガス濃度４ｖｏｌ％、窒素ガス濃度９６ｖｏｌ％）を矢印Ａ方向から管体３０内に導入すると共に、参照電極１４側に空気を管体３０外に流した。
かかる条件下において、電圧計２２で測定した検知電極１２と参照電極１４との電位差を図１０〜図１２に開回路電圧として示す。
図１０〜図１２は、検知電極１２を形成する金属の種類を変更した硫黄検出センサＳを用いた開回路電圧であり、検知電極１２は白金の他に、酸化ロジウム（図１０）、酸化亜鉛（図１１）、酸化スズ（図１２）で形成されている。
【００２４】
検知電極１２が白金と酸化ロジウムとから形成された硫黄検出センサＳでは、開回路電圧は、図１０に示す様に、水素ガス流（水素ガス濃度４ｖｏｌ％、窒素ガス濃度９６ｖｏｌ％）中へのＨ２Ｓの導入に伴なって、急激に上昇したが、水素ガス流中へのＨ２Ｓの導入を続けると、所定時間経過後に急激に回復してきた。このことは、図１０に示す硫黄検出センサＳでは、水素ガス流中へのＨ２Ｓの導入に伴なって、検知電極１２内で急激に硫化物等が生成するが、所定時間経過後には、生成した硫化物等が急激に消滅し、水素と酸素イオン（Ｏ２−）との電気化学的反応が徐々に回復してきたものと推察される。
従って、図１０に示す硫黄検出センサＳは、水素ガス流中のＨ２Ｓの濃度変化を測定するセンサに適している。
【００２５】
一方、検知電極１２が白金と酸化亜鉛又は酸化スズとから形成された硫黄検出センサＳでは、開回路電圧は、図１１又は図１２に示す様に、水素ガス流中へのＨ２Ｓの導入に伴なって、開回路電圧は徐々に低下する。このことは、検知電極１２内での硫化物等の生成が平衡に達するまでに時間がかかること、及び生成した硫化物等は消滅し難いことに起因しているものと推察される。
従って、図１１及び図１２に示す硫黄検出センサＳは、水素ガス流中のＨ２Ｓが通過した累積量を測定する場合に適している。
【００２６】
【発明の効果】
本発明に係る硫黄検出センサ及び硫黄検出装置によれば、従来の硫黄測定センサでは測定できなかった実質的に無酸素状態のガス流中の硫黄成分量を測定可能にできる。このため、燃料電池に供給する水素ガス流をガソリン等から改質する改質工程における燃料ガス流中の硫黄成分の積算量を測定できる。
また、本発明に係る硫黄検出センサ及び硫黄検出装置は、小型であり、家庭用又は車載用の燃料電池に用いられる改質工程で採用できる。
【図面の簡単な説明】
【図１】本発明に係る硫黄検出センサ及び硫黄検出装置の説明する概略図である。
【図２】本発明に係る硫黄検出センサ及び硫黄検出装置の他の例を説明する概略図である。
【図３】図１に示す硫黄検出装置を使用し、硫化水素含有ガスに対する硫黄検出センサの検知電極と参照電極との電位差変化の一例を示すグラフである。
【図４】図１に示す硫黄検出装置を使用し、硫化水素含有ガスに対する硫黄検出センサの検知電極と参照電極との電位差変化の他の例を示すグラフである。
【図５】図１に示す硫黄検出装置を使用し、硫化水素含有ガスに対する硫黄検出センサの検知電極と参照電極との電位差変化の他の例を示すグラフである。
【図６】図１に示す硫黄検出装置を使用し、硫化水素含有ガスに対する硫黄検出センサの検知電極と参照電極との電位差変化の他の例を示すグラフである。
【図７】図１に示す硫黄検出装置を使用し、硫化水素含有ガスに対する硫黄検出センサの検知電極と参照電極との電位差変化の他の例を示すグラフである。
【図８】図１に示す硫黄検出装置を使用し、硫化水素含有ガスに対する硫黄検出センサの検知電極と参照電極との電位差変化の他の例を示すグラフである。
【図９】図１に示す硫黄検出装置を使用し、硫化水素含有ガス中の硫化水素濃度に対する硫黄検出センサの検知電極と参照電極との電位差変化を示すグラフである。
【図１０】図２に示す硫黄検出装置を使用し、硫化水素含有ガスに対する硫黄検出センサの検知電極と参照電極との電位差変化の一例を示すグラフである。
【図１１】図２に示す硫黄検出装置を使用し、硫化水素含有ガスに対する硫黄検出センサの検知電極と参照電極との電位差変化の他の例を示すグラフである。
【図１２】図２に示す硫黄検出装置を使用し、硫化水素含有ガスに対する硫黄検出センサの検知電極と参照電極との電位差変化の他の例を示すグラフである。
【図１３】従来の硫黄検出センサ及び硫黄検出装置を説明する概略図である。
【図１４】燃料電池に燃料ガス流を供給する改質工程を説明する説明図である。
【符号の説明】
１０　基板
１２　検知電極
１４　参照電極
１６，１８　ワイヤ
２２　電圧計
３１　定電流発生装置
【図１】
2004053590.tif 000004
【図２】
2004053590.tif 000005
【図３】
2004053590.tif 000006
【図４】
2004053590.tif 000007
【図５】
2004053590.tif 000008
【図６】
2004053590.tif 000009
【図７】
2004053590.tif 000010
【図８】
2004053590.tif 000011
【図９】
2004053590.tif 000012
【図１０】
2004053590.tif 000013
【図１１】
2004053590.tif 000014
【図１２】
2004053590.tif 000015
【図１３】
2004053590.tif 000016
【図１４】
2004053590.tif 000017